(57)【要約】  正面フライス加工向けのフライス工具（１）は、工具本体（１０）と、前記工具本体（１０）の周囲に沿って連続的に配置された複数の切削部材（１００）を備える。各切削部材（１００）は、荒削り動作用の主切削刃を備える。切削部材（１００）のサブセットは、仕上げ動作用の第１（１４０）、第２（１５０）、および第３（１６０）の副切削刃を備える。第１の副切削刃（１４０）および第３の副切削刃（１６０）は、軸方向（Ａ）に垂直な方向に延在し、第２の副切削刃（１５０）は、第１と第３の副切削刃（１４０、１６０）の間に延在する。切削部材（１００）の主切削刃（１３０）は、同じ径方向位置にあり、第１の副切削刃（１４０）は、同じ軸方向位置にあり、前記第２の副切削刃（１５０）の第１の端点（１５１）は、径方向内向きに連続的に推移し、前記第２の副切削刃（１５０）の第２の端点（１５２）は、前記工具本体（１０）の周囲に沿って径方向内向きかつ軸方向外向きに連続的に推移する。【選択図】図４ｂ
2019532829.tif 000002
【特許請求の範囲】
【請求項１】
被加工物の正面フライス加工用のフライス工具（１、１’）であって、
軸方向（Ａ）を定義する中心回転軸を有し、前記軸方向（Ａ）に沿って延在する包囲表面（１１）、および径方向（Ｒ）に沿って延在する前表面（１２）を有する工具本体（１０、１０’）と、
前記被加工物の径方向および軸方向の機械加工を行うための、前記工具本体（１０、１０’）の周囲に沿って連続的に配置された複数の切削部材（１００、１００’）とを備え、
前記切削部材（１００、１００’）のそれぞれが、
すくい面（１１０）と、
逃げ表面（１２０）と、
荒削り動作用の主切削刃（１３０）とを備え、前記主切削刃（１３０）が、前記すくい面（１１０）と前記逃げ表面（１２０）との間に形成され、前記工具本体（１０、１０’）の前記包囲表面（１１）の前記周囲で前記軸方向（Ａ）に沿って延在し、前記切削部材（１００、１１０’）の少なくともサブセットであって、少なくとも２つの切削部材を備える前記サブセットが、
仕上げ動作用の複数の副切削刃（１４０、１５０、１６０）を備え、前記複数の副切削刃が、前記すくい面（１１０）と前記逃げ表面（１２０）との間で、前記工具本体（１０、１０’）の前記前表面（１２）の前記周囲に形成され、前記複数の副切削刃が、少なくとも
第１の副切削刃（１４０）と、
第２の副切削刃（１５０）と、
第３の副切削刃（１６０）と、
を備え、
前記第１の副切削刃（１４０）および第３の副切削刃（１６０）が、前記軸方向（Ａ）に垂直な方向に延在し、前記第２の副切削刃（１５０）が、前記第１の副切削刃（１４０）と前記第３の副切削刃（１６０）の間に延在し、
前記切削部材（１００）の前記主切削刃（１３０）が、前記工具本体（１０、１０’）の前記包囲表面（１１）の前記周囲に沿って同じ径方向位置にあり、前記第１の副切削刃（１４０）が、同じ軸方向位置にあり、前記第１の副切削刃（１４０）が、角切削刃（１７０）を介して前記主切削刃（１３０）につながっており、それにより前記角切削刃（１７０）の軸方向位置が、前記フライス工具の切削の総深さのうち、それぞれ主切削刃と副切削刃によって機械加工される材料の相対量を決定付け、
前記第２の副切削刃（１５０）の第１の端点（１５１）が、径方向内向きに連続的に推移し、前記第２の副切削刃（１５０）の第２の端点（１５２）が、前記工具本体（１０、１０’）の前記前表面（１２）の前記周囲に沿って径方向内向きかつ軸方向外向きに連続的に推移し、それにより、後に続く切削部材（１００）の第２の副切削刃（１５０）が、前記工具本体（１０、１０’）の前記前表面（１２）の前記周囲に沿って前にある切削部材（１００）の第２の副切削刃（１５０）よりも、長さが長くなり、前記工具本体（１０、１０’）の前記中心回転軸（Ａ）の近くにくる、フライス工具。
【請求項２】
前記サブセットに含まれる切削部材（１００）の数が、前記工具本体（１０、１０’）の前記周囲に沿って配置される切削部材（１００）の総数に等しい、請求項１に記載のフライス工具。
【請求項３】
前記第１の副切削刃（１４０）が、角面取り切削刃（１７０）を介して前記主切削刃（１３０）につながっている、請求項１または２に記載のフライス工具。
【請求項４】
前記切削部材（１００）は、前記副切削刃（１４０、１５０、１６０）が、前記主切削刃（１３０）と前記フライス工具（１、１’）の前記回転軸（Ａ）との間に定義される径方向（Ｒ）に対する−１０°〜＋１０°の範囲の径方向すくい角（γ１）、好ましくは正の径方向すくい角（γ１）を形成するように配置され、前記主切削刃（１３０）は、前記軸方向（Ａ）に平行な平面内で、前記軸方向（Ａ）に対して−１０°〜＋１０°の範囲の軸方向すくい角（γ２）、好ましくは正の軸方向すくい角（γ２）で延在する、請求項１から３のいずれか一項に記載のフライス工具。
【請求項５】
前記第２の副切削刃（１５０）の前記第１の端点（１５１）が、後に続く切削部材（１００）間で、第１の径方向距離（ｒ１）だけ径方向内向きに連続的に推移し、前記第２の副切削刃（１５０）の前記第２の端点（１５２）が、後に続く切削部材（１００）間で、第２の径方向距離（ｒ２）だけ径方向内向きに連続的に推移し、それにより、それぞれの第２の副切削刃（１５０）が、前記中心回転軸（Ａ）に対して鋭角で傾斜することによって軸方向外向きかつ径方向内向きに延在し、好ましくは、すべての前記第２の副切削刃（１５０）において前記鋭角の傾斜角度が同じになるように延在する、請求項１から４のいずれか一項に記載のフライス工具。
【請求項６】
前記第１の径方向距離（ｒ１）および前記第２の径方向距離（ｒ２）のうち少なくとも１つが、０．１〜０．５ｍｍの範囲にある、請求項５に記載のフライス工具。
【請求項７】
前記第２の副切削刃（１５０）の前記第２の端点（１５２）が、後に続く切削部材間で軸方向距離（ａ２）だけ径方向外向きに連続的に推移する、請求項１から６のいずれか一項に記載のフライス工具。
【請求項８】
前記第２の副切削刃（１５０）の前記第２の端点（１５２）が、後に続く切削部材１−（ｎ−１）間で軸方向距離（ａ２）だけ軸方向外向きに連続的に推移し、前記第２の副切削刃（１５０）の前記第２の端点（１５２）が、後に続く切削部材（ｎ−１）とｎとの間で別の軸方向距離（ａ３）だけ軸方向外向きに連続的に推移し、前記軸方向距離が等しくない（ａ３≠ａ２）、請求項１から６のいずれか一項に記載のフライス工具。
【請求項９】
前記主切削刃（１３０）は、前記主切削刃の切込み角が９０°になるように、前記工具本体の前記包囲表面（１１）の前記周囲において前記軸方向（Ａ）に延在する、請求項１から８のいずれか一項に記載のフライス工具。
【請求項１０】
前記主切削刃（１３０）の切削深さが、０．１〜４ｍｍの範囲内、好ましくは少なくとも１〜４ｍｍの範囲内にある、請求項１から９のいずれか一項に記載のフライス工具。
【請求項１１】
前記フライス工具の前記主切削刃と前記副切削刃を含む総切削深さが、０．２〜５ｍｍの範囲内にある、請求項１から１０のいずれか一項に記載のフライス工具。
【請求項１２】
前記切削部材（１００）が、前記工具本体（１０、１０’）にろう付けされた切削インサート（１００）であって、好ましくはＰＣＤ材料で形成された主切削刃および副切削刃（１３０、１４０、１５０、１６０）を有する切削インサート（１００）によって形成される、請求項１から１１のいずれか一項に記載のフライス工具。
【請求項１３】
前記フライス工具の直径が、１２〜１００ｍｍである、請求項１から１２のいずれか一項に記載のフライス工具。
【請求項１４】
前記フライス工具の隣接する切削部材（１００）同士間の角度距離が、１０〜９０°の範囲内にある、請求項１から１３のいずれか一項に記載のフライス工具。
【請求項１５】
正面フライス加工用のフライス加工の工具本体の周囲に沿って連続的に配置されるように適合された交換可能な切削インサート（１００）のキットであって、前記フライス工具が、工具本体（１０、１０’）であって、軸方向（Ａ）を定義する中心回転軸を有し、前記軸方向（Ａ）に沿って延在する包囲表面（１１）、および径方向（Ｒ）に沿って延在する前表面（１２）を有する工具本体（１０、１０’）を備え、
前記切削インサート（１００）のそれぞれが、
すくい面（１１０）と、
逃げ表面（１２０）と、
荒削り動作用の主切削刃（１３０）とを備え、前記主切削刃（１３０）が、前記すくい面（１１０）と前記逃げ表面（１２０）との間に形成され、前記工具本体に配置されたときに、前記工具本体（１０、１０’）の前記包囲表面（１１）の周囲で前記軸方向（Ａ）に沿って延在し、少なくとも２つの切削インサートを備える前記切削インサートのサブセットの前記切削インサート（１００）が、
仕上げ動作用の複数の副切削刃（１４０、１５０、１６０）を備え、前記複数の副切削刃（１４０、１５０、１６０）が、前記すくい面（１１０）と前記逃げ表面（１２０）との間で、前記工具本体の前記前表面（１２）の前記周囲に形成され、前記複数の副切削刃が、少なくとも
第１の副切削刃（１４０）と、
第２の副切削刃（１５０）と、
第３の副切削刃（１６０）と、
を備え、
前記第１の副切削刃（１４０）および第３の副切削刃（１６０）は、前記工具本体（１０、１０’）に配置されたときに、前記軸方向（Ａ）に垂直な方向に延在し、前記第２の副切削刃（１５０）は、前記第１の副切削刃（１４０）と前記第３の副切削刃（１６０）の間に延在し、
前記工具本体に配置されたときに、前記切削インサートの前記主切削刃（１３０）が、前記工具本体（１００）の前記包囲表面（１１）の前記周囲に沿って同じ径方向位置にあり、前記第１の副切削刃（１４０）が、同じ軸方向位置にあり、
前記工具本体に配置されたときに、前記第２の副切削刃（１５０）の第１の端点（１５１）が、径方向内向きに連続的に推移し、前記第２の副切削刃（１５０）の第２の端点（１５２）が、前記工具本体（１０、１０’）の前記前表面（１２）の前記周囲に沿って径方向内向きかつ軸方向外向きに連続的に推移し、それにより、後に続く切削インサートの第２の副切削刃（１５０）が、前記工具本体の前記前表面（１２）の前記周囲に沿った前の切削インサートの第２の副切削刃（１５０）よりも、長さが長くなり、前記工具本体の前記中心回転軸（Ａ）の近くにくる、フライス工具。
【発明の詳細な説明】
【技術分野】
【０００１】
本発明は、一般に、フライス工具の分野に関する。特に、本発明は、工具本体の周囲に沿って配置された複数の切削部材を備える、正面フライス加工用のフライス工具に関する。
【背景技術】
【０００２】
正面フライス加工およびショルダフライス加工の分野では、フライス工具本体の周囲に沿って配置された切削インサートまたは一体型切削刃の形の切削部材を有する回転フライス工具（中実のフライス工具）を提供することが一般的に知られている。さらに、こうした正面フライス加工およびショルダフライス加工の動作によって達成すべき要件には、一般的に、両方の効率のよい機械加工、すなわち一定の材料を効率よく取り除いて、所望の切削深さを実現すること、ならびに機械加工表面の所望の表面仕上げを実現することが含まれる。特に正面フライス加工において高度な表面仕上げを達成することは、自動車業界（エンジンブロックまたはシリンダヘッドの正面フライス加工において）など、特定の業界では非常に重要である。
【０００３】
これらの要件のうち少なくとも最初の要件を達成するために、高速で効率のよい機械加工を施すように主に適合された正面フライス工具が知られている。しがたって、こうした正面フライス工具は、より大量の材料を効率よく取り除くように、すなわち、可能なかぎり効率よく所望の切削深さを実現するように主に適合されているが、その代わりにばりなどを含む粗い表面を残す傾向がある。したがって、こうした正面フライス工具によって提供される動作は、荒削り動作と呼ばれることが多い。
【０００４】
したがって、従来、所望の高度な表面仕上げの要件も達成することができるように、多段階の機械加工手法を用いることが一般的であり、この手法では、最初の荒削り動作に続いて、その部分の機械加工された表面を仕上げるように適合された別の正面フライス工具によって実行される第２の動作が行われ、これは仕上げ動作と呼ばれることが多い。
【０００５】
こうした仕上げ動作を実行するように適合された正面フライス工具は、一般的に、前の荒削り動作よりもはるかに少ない切削深さを有し、その代わりに、滑らかな、ばりのない機械加工表面を残すように適合される。仕上げ動作用のこうした正面フライス工具の一例は、本発明の出願人によるサンドビック・コロマント（Ｓａｎｄｖｉｋ  Ｃｏｒｏｍａｎｔ）Ｍ５Ｂ９０という名称で市販されている正面フライス工具である。
【０００６】
しかし、こうした多段階の機械加工手法を用いることによって、フライス加工動作の複雑さが著しく増すとともに、多段階のフライス加工動作を実行するのに必要な製造時間も大幅に増加する。
【０００７】
これらの欠点の一部を軽減するために、荒削りと仕上げの動作を同時に施す複合型の工具を導入する解決策が提案されている。たとえば、ＵＳ６，９１３，４２４は、滑らかな仕上げ表面を機械加工し、ばりを防止するためのフライス加工カッターを開示している。開示されたフライス加工カッターには、２つの異なるインサートが設けられ、一方のインサートは、軸方向に突出し、ばりを防ぐための１つのワイパー刃を有し、他方のインサートは、主要な切削作業を行う主刃を備える。別の例は、ＥＰ０３６６１１１によって提供され、これは、滑らかな表面仕上げを実現し、ばりを防ぐための、ＵＳ６，９１３，４２４と同様のフライス加工カッターを開示している。ＥＰ０３６６１１１の工具には、２つの異なるインサート、すなわち、それぞればり切削インサートおよび標準カッターインサートが設けられる。
【０００８】
しかし、こうした知られている複合型の工具によって実現される表面仕上げの品質は、サンドビック・コロマントによるＭ５Ｂ９０などの、仕上げ動作専用の工具によって実現される仕上げに比べてなお低い。
【発明の概要】
【０００９】
したがって、本発明の目的は、１度の動作だけで、被加工物の荒削りおよび仕上げを行うための改善された正面フライス工具を提供し、これにより、仕上げ表面のばり、擦り傷、または剥離をできるかぎり残さないことによって、改善された表面仕上げを実現することである。特に、目的は、先行技術に比べて必要な機械加工時間を短縮するように適合された、そのような改善された正面フライス工具を提供することである。これらの目的は、独立請求項１に定義されるフライス工具によって達成される。好ましい実施形態は、従属請求項に定義される。
【００１０】
本発明の一態様によれば、被加工物の正面フライス加工用のフライス工具が提供される。フライス工具は、工具本体であって、軸方向を定義する中心回転軸を有し、軸方向の広がりＡに沿って延在する包囲表面、および径方向の広がりＲに沿って延在する前表面を有する工具本体と、被加工物の径方向および軸方向の機械加工を行うための、工具本体の周囲に沿って連続的に配置された複数の切削部材とを備える。切削部材のそれぞれは、すくい面、逃げ表面、および荒削り動作用の主切削刃を備え、主切削刃は、すくい面と逃げ表面との間に形成され、工具本体の包囲表面の周囲で軸方向に沿って延在し、前記切削部材の少なくともサブセットであって、少なくとも２つの切削部材を備える前記サブセットが、仕上げ動作用の複数の副切削刃を備え、複数の副切削刃は、工具本体の前表面の周囲ですくい面と逃げ表面の間に形成される。複数の副切削刃は、少なくとも第１の副切削刃、第２の副切削刃、および第３の副切削刃を備える。第１および第３の副切削刃は、軸方向Ａに垂直な方向に延在し、第２の副切削刃は、第１と第３の副切削刃の間（すなわち、第１と第３の副切削刃のそれぞれの端点間）に延在し、切削部材の主切削刃は、工具本体の包囲表面の周囲に沿って同じ径方向位置にあり、第１の副切削刃は、同じ軸方向位置にあり、前記第１の副切削刃は、角切削刃を介して前記主切削刃につながっており、それにより前記角切削刃上の軸方向位置が、フライス工具の切削の総深さのうち、それぞれ主切削刃および副切削刃によって機械加工される材料の相対量を決定付け、第２の副切削刃の第１の端点が、径方向内向きに連続的に推移し、第２の副切削刃の第２の端点が、工具本体の前表面の周囲に沿って、径方向内向きかつ軸方向外向きに連続的に推移し、それにより、後に続く切削インサートの第２の副切削刃が、工具本体の前表面の周囲に沿って前にある切削部材の第２の副切削刃よりも、長さが長くなり、工具本体の中心回転軸の近くにくる。
【００１１】
第１の態様によれば、フライス工具は、上に述べた目的に対して、主切削刃といくつかの副切削刃を同じ切削部材上で組み合わせることができるようにする切削部材の設計により、所望の特性を達成することができるという認識から導かれる解決策を提供する。主切削刃は、すべての切削部材について同じ直径で位置付けられ、すべての切削部材について同じ軸方向位置で終わるが、仕上げ動作用の副切削刃は、副切削刃の少なくともいくつかによる径方向および軸方向への所定の推移があることによって、サブセットに含まれる少なくとも２つの切削部材間で異なる。したがって、切削部材は、副切削刃に関して異なる形状を有する。副切削刃の推移は、対象となる特定の用途に合わせて適合されてもよく、さらに、手元のフライス加工動作において用いられる切削深さ、送り速度、および切削スピードに応じて異なる。推移という用語は、副切削刃および／または副切削刃上の点が、後に続く切削部材間で段階的に変わることとして理解されるべきであり、それにより、たとえば、後に続く切削インサートの副切削刃上の点が、工具本体の前表面の周囲に沿って前にある切削部材の対応する点および／または副切削刃よりも、工具本体の前表面から軸方向に遠く、かつ／またはフライス工具の回転軸に径方向に近くなるよう位置付けられる。
【００１２】
したがって、主切削刃は、予めの荒削りが全くない状態で直接荒削り動作を実行するために、同じ直径に位置付けられ、副切削刃は、滑らかな仕上げ表面を提供するために、径方向および軸方向に段階的なやり方で徐々に延びて、仕上げ動作を行う。したがって、切削刃によって残されたばりは、副切削刃が推移することによって徐々に抑えられる。これにより、先行技術に比べて改善された表面仕上げが達成される。さらに、段階的な副切削刃の推移を有する設計により、たとえば多数の切削部材を提供することができるので、非常に高速な送りフライス加工が可能になり、これにより、完全な荒削りおよび仕上げの動作に対して１つの複合型工具を使用することにより時間の短縮が実現されることに加えて、１つのフライス加工動作自体に必要な時間が有利なことにさらに短縮されることも実現される。
【００１３】
一実施形態では、サブセットに含まれる切削部材の数は、工具本体の周囲に沿って配置された切削部材の総数に等しい。しかし、サブセットに含まれる切削部材の数、すなわち、前に述べたように、副切削刃を実際に備える切削部材の数は、２つから切削部材の総数までの任意の数であってもよい。
【００１４】
いくつか実施形態では、主切削刃は、切削部材が工具本体に配置されたとき、主切削刃の切込み角が９０°になるように、工具本体の包囲表面の周囲において軸方向に沿って延在する。こうした実施形態は、機械加工される部分の近くに工具を寄せることができ、さらに、切削部材の強度および耐性を効率的に管理することができるので、有利であり得る。しかし、本発明の正面フライス工具では、軸方向に沿って延在する主切削刃は、切削部材が工具本体に配置されたとき、主切削刃の切込み角が＜９０°になるように、工具本体の包囲表面の周囲における主切削刃上の径方向の広がりも含むと解釈されるべきである。
【００１５】
開示するフライス加工工具は、任意のタイプの正面フライス加工にさらに好適であり、フライス工具のいくつかの実施形態は、ショルダフライス加工を実行するのに特に好適であってもよい。さらに、いくつかの実施形態は、アルミニウム被加工物の正面フライス加工および／またはショルダフライス加工、特に、自動車業界内および航空業界内のアルミニウム部品の正面フライス加工およびショルダフライス加工に適合されてもよい。
【００１６】
フライス工具は、任意の回転方向を提供するように、すなわちそうした方向で使用されるように、適合されてもよい。言い換えれば、フライス工具は、右手用カッターであっても左手用カッターであってもよい。
【００１７】
いくつかの実施形態では、フライス工具は、工具に回転運動を提供するスピンドルにフライス工具を取り付けるための好適な固定手段を備えてもよく、こうした手段は、たとえば切削部材が配置される端部に比べてフライス工具の反対側の端部に配置されてもよい。こうした手段の例は、工具とスピンドルの対応する構造部との間で形状嵌めを提供するための手段、すなわち、スピンドルに配置された対応する固定手段と嵌合するまたは協働するように適合された手段を含む。
【００１８】
正面フライス工具の工具本体には、好ましくは、工具本体の座部にろう付けされた切削インサートの形態の、固定取り付けされた／半永久的に取り付けられた切削部材が設けられてもよい。製造公差と、交換可能なインサートを正しい順序で装着することとの両方を保証することを考慮して、十分な管理がなされる場合には、代替的に、工具本体に交換可能なインサートが設けられてもよい。いくつかの実施形態では、特に小さい直径を有する正面フライス工具では、正面フライス工具は、工具本体と切削部材が一体に形成された中実の超硬合金工具として有利に形成されてもよい。
【００１９】
一実施形態によれば、第１の副切削刃は、角面取り切削刃を介して前記主切削刃につながっており、すなわち、角切削刃は、前記主切削刃と前記第１の副切削刃の間に延在し面取りを形成する。角面取り切削刃は、たとえば工具にかかる負荷が制限されるので有利である。さらに、面取り刃は、切りくずを短くすることができるので、半径部に比べて切りくずの制御をしやすくすることができる。
【００２０】
これは、仕上げする段階的な領域のサイズ、すなわち、段階的な副切削刃によって取り除くことになる残りの材料の量が、主切削刃と第１の副切削刃の間に形成されたこの角の軸方向位置によって管理されることから、有利である。言い換えれば、主刃と第１の副刃との間の角の軸方向位置は、最大切削深さのうち、それぞれ仕上げ動作用の副切削刃、および荒削り用の主切削刃によって機械加工される材料の相対量を決定付ける。したがって、フライス工具上で角がより軸方向後ろにあるフライス工具を設計すると、仕上げ刃のための材料が多くなり、荒削り刃のための材料が少なくなる。副切削刃のために残される材料が多くなるほど、より多くの切削が必要になり、同時に係合する副切削刃が多くなることにより、「ハンマリング」としても知られている現象である振動を著しく低減することができる。
【００２１】
したがって、上に述べた切削部材の有利な機能性は、組み合わされた荒削り動作と仕上げ動作を可能にする本発明の設計によりもたらされるものであり、この設計は、この角を再位置決めすることによって、主切削刃（すなわち荒削り動作）から副切削刃（すなわち仕上げ動作）に、取り除くべき残りの材料を「移す」または再分配することを可能にする。
【００２２】
いくつかの実施形態では、第１の副切削刃は、半径部のある角切削刃、すなわち丸い角刃を介して、主切削刃につながっていてもよい。当業者であれば、第１の副切削刃と主切削刃の間のつながりの任意の他のタイプの設計が本願の範囲内で想定されることを、さらに認識する。
【００２３】
いずれの事例でも、主切削刃および副切削刃によってもたらされる総切削深さの部分は、この角刃の軸方向位置、言い換えれば、主切削刃の長さによって決定される。
【００２４】
切削部材の全体的な配向に関して、いくつかの実施形態では、切削部材は、主切削刃とフライス工具の回転軸との間に定義される径方向に対して、ある角度で配置されてもよい。たとえば、第３の副切削刃が、たとえば第３の副切削刃の外側の端点からフライス工具の中心まで定義された径方向に対して、ある角度を形成する（すなわちその角度で延在する）ように、配置される。いくつかの実施形態では、こうした角度は、径方向に対して−１０°〜＋１０°の範囲に属してもよい。提供される利点は、より滑らかな切削動作を含む。
【００２５】
さらに、いくつかの実施形態では、主切削刃が軸方向に平行な平面にあるが軸方向に対してある角度で延在するように、切削部材が配置される。いくつかの実施形態では、こうした軸方向すくい角γは、−１０°〜＋１０°の範囲に属してもよく、さらに好ましくは、滑らかな切削作用を提供するように正の軸方向すくい角である。
【００２６】
一実施形態によれば、前記第２の副切削刃の第１の端点は、後に続く切削部材間で、第１の径方向距離ｒ１だけ径方向内向きに連続的に推移し、前記第２の副切削刃の前記第２の端点は、後に続く切削部材間で、第２の径方向距離ｒ２だけ径方向内向きに連続的に推移し、それにより、それぞれの第２の副切削刃が、中心回転軸に対して鋭角で傾斜することにより軸方向外向きかつ径方向内向きに延在し、好ましくは、すべての第２の副切削刃において鋭角の傾斜角度が同じになるように延在する。こうした角度は、切りくずの厚さを低減することができ、それによりより滑らかな切削効果が得られるので、特に有利である。しかし、軸方向にのみ延在する第２の副切削刃を有する実施形態は、本願の範囲内にあると考えられる。
【００２７】
いくつかの実施形態では、前記第１の径方向距離ｒ１および前記第２の径方向距離ｒ２のうちの少なくとも１つは、０．１〜０．５０の範囲にあり、いくつかの実施形態では、ｒ１およびｒ２のうちの少なくとも１つは、０．１５〜０．２０ｍｍの範囲にある。
【００２８】
さらに、いくつかの実施形態では、ｒ１および／またはｒ２の値は、切削部材間で、用途に応じて選択されたある値に固定されてもよく、それにより、考えられる１回転あたりの送り量が、歯の数に依存し、すなわち、１回転あたりの送り量が、１歯あたりの送り量と切削部材の数の積によって定義される。
【００２９】
いくつかの実施形態では、第２の副切削刃の第２の端点は、後に続く切削部材間で軸方向距離ａ２だけ軸方向外向きに連続的に推移する。
【００３０】
上で述べたことと同様に、いくつかの実施形態では、軸方向距離ａ２の値は、たとえば（用途に応じて選択された）ある値に固定されてもよく、それにより、考えられる１回転あたりの送り量が、歯の数に依存し、すなわち、１回転あたりの送り量が、１歯あたりの送り量と切削部材の数の積によって定義される。
【００３１】
いくつかの実施形態では、フライス工具はｎ個の切削部材を備えてもよく、第２の副切削刃の第２の端点が、後に続く切削部材１−（ｎ−１）間で軸方向距離ａ２だけ軸方向外向きに連続的に推移し、第２の副切削刃の第２の端点が、後に続く切削部材（ｎ−１）とｎとの間で別の軸方向距離ａ３だけ軸方向外向きに連続的に推移し、ａ３≠ａ２である。
【００３２】
たとえば用途に応じて、ａ２とａ３の関係が、ａ３＞ａ２またはａ３＜ａ２のうちのいずれか１つとして説明され得る実施形態が考えられる。特に、関係ａ３＜ａ２を示す実施形態に関し、こうした最後の切削部材はワイパー効果を有し、所望の表面品質を保証するものとして説明されてもよい。さらに、こうした設計は、たとえば最小の切りくず厚さを効果的に制御できることから、有利であってもよい。
【００３３】
いくつかの実施形態では、第１の径方向距離ｒ１は、第２の径方向距離ｒ２に等しく、他の実施形態では、ｒ１はｒ２とは異ってもよい。したがって、鋭角は、それぞれの第２の副切削刃のｒ１とｒ２の関係、および軸方向の広がり、または推移によって決まる。
【００３４】
いくつかの実施形態では、第２の副切削刃の第１の端点の径方向内向きの推移、副切削刃の第２の端点の径方向内向きの推移、および軸方向外向きの推移のうちの少なくとも１つは、工具本体の周囲に沿ったすべての切削部材間で均一である。他の実施形態では、第２の副切削刃の第１の端点の径方向内向きの推移、副切削刃の第２の端点の径方向内向きの推移、および軸方向外向きの推移のうちの少なくとも１つは、工具本体の周囲に沿った異なる切削部材間、たとえば異なる切削部材の隣接する対同士の間で異ってもよい。たとえば、ｎ個の切削部材を備える切削工具については、以下の関係、すなわちｒ１ｎ≠ｒ１（ｎ＋１）、ｒ２ｎ≠ｒ２（ｎ＋１）、およびａ２ｎ≠ａ２（ｎ＋１）のうちの少なくとも１つが当てはまってもよい。
【００３５】
一実施形態によれば、主切削刃の切削深さは、０．１〜４ｍｍの範囲内、好ましくは少なくとも１〜４ｍｍの範囲内にある。一実施形態によれば、主切削刃と副切削刃を含むフライス工具の総切削深さは、０．２〜５ｍｍの範囲内にある。したがって、総切削深さは、主切削刃と、副切削刃の軸方向の最大広がりとの切削深さとして定義される。言い換えれば、副切削刃の軸方向の広がりは、周囲に沿った最後の切削部材、すなわち、すべての切削部材にわたる軸方向の総推移を含む。したがって、上で説明したように、主刃と第１の副刃との間の角の軸方向位置は、仕上げ動作用の副切削刃、および荒削り用の主切削刃によってそれぞれ機械加工される材料の相対量、すなわち、総切削深さに関する主切削刃の切削深を決定付ける。
【００３６】
一実施形態によれば、切削部材は、工具本体にろう付けされた、好ましくはＰＣＤ材料で形成された主切削刃および副切削刃を有する切削インサートによって形成される。ＰＣＤ材料は、アルミニウム部品の機械加工に特に有利であってもよい。他の例は、ＣＢＮ材料または超硬合金で形成された副切削刃を含む。
【００３７】
ろう付けされたこうした切削部材の１つの重要な利点は、たとえばフライス工具の使用者が、不用意に間違った順序で部材を装着する可能性がないことから、フライス工具のハンドリングが容易になることである。さらに、ろう付けされた切削インサートは、インサート設計に比べてより多くの切削部材を含むことが可能であってもよい。
【００３８】
一実施形態によれば、切削工具の直径の範囲は、直径１２ｍｍ〜直径１００ｍｍである。いくつかの実施形態では、直径の範囲は２５〜７５ｍｍである。
【００３９】
フライス工具の直径が小さいことは、たとえばより多くの切削部材を提供できる可能性があることから、薄肉の機械加工に関しては特に有利であるが、その理由はより多くの切削部材が被加工物に同時に係合することができるからであり、このことは上で述べたように、いわゆるハンマリングの問題をかなり低減する。
【００４０】
一実施形態によれば、フライス工具の隣接する切削部材同士間の角度距離は、１０°〜９０°の範囲内にある。いくつかの実施形態では、３５〜７５°の範囲内にある。こうした角度距離はピッチとよばれてもよく、切削部材の数およびフライス工具の直径によって決まる。
【００４１】
たとえばいくつかの実施形態では、異なる例示的な直径についての好適な歯の数の例は、直径２５ｍｍを有する工具については最大数８個の切削部材、および直径１００ｍｍを有する工具については最大数２６個の切削部材を含む。上に述べたことと同様に、切削部材同士間のピッチが狭いことは有利な配置にも寄与し、薄肉をフライス加工するときでも、いくつかの切削部材が同時に係合して、ハンマリング、すなわち振動を防止する。
【００４２】
本発明の第２の態様によれば、正面フライス加工用のフライス加工の工具本体の周囲に沿って連続的に配置されるように適合された交換可能な切削インサートのキットであって、工具本体であって、軸方向を定義する中心回転軸を有し、軸方向の広がりＡに沿って延在する包囲表面と、径方向Ｒに沿って延在する前表面とを有する、被加工物を径方向および軸方向に機械加工するための工具本体を備え、切削インサートのそれぞれは、すくい面と、逃げ表面と、荒削り動作用の主切削刃であって、主切削刃が、すくい面と逃げ表面との間に形成され、工具本体の包囲表面の周囲で軸方向に延在するように適合された主切削刃と、仕上げ動作用の複数の副切削刃であって、複数の副切削刃が、工具本体の前表面の周囲ですくい面と逃げ表面の間に形成される、副切削刃とを備え、複数の副切削刃は、少なくとも第１の副切削刃、第２の副切削刃、および第３の副切削刃を備える。第１および第３の副切削刃は、軸方向Ａに垂直な方向に延在するように適合され、第２の副切削刃は、第１と第３の副切削刃の間に延在するように適合され、切削インサートの主切削刃は、工具本体の包囲表面の周囲に沿って同じ径方向位置にあるように適合され、第１の副切削刃は、同じ軸方向位置にあるように適合され、第２の副切削刃の第１の端点は、径方向内向きに連続的に推移するように適合され、第２の副切削刃の第２の端点は、工具本体の前表面の周囲に沿って径方向内向きかつ軸方向外向きに連続的に推移するように適合され、それにより、工具本体に配置されたときに、後に続く切削インサートの第２の副切削刃が、工具本体の前表面の周囲に沿って前にある切削インサートの第２の副切削刃よりも、長さが長くなり、工具本体の中心回転軸の近くにくる。
【００４３】
たとえば、こうしたキットは、新しい機械加工段階の前にフライス工具にろう付けされるように適合された切削インサートの完全なセットとすることができる。
【００４４】
本発明のさらなる目的、特徴、および利点は、以下の詳細な開示、図面、および添付の特許請求の範囲を研究すると、明らかになろう。当業者であれば、本発明の異なる特徴を組み合わせて、以下に記載する実施形態以外の実施形態を作り出せることを認識する。
【００４５】
本発明は、添付図面を参照しながら、好ましい実施形態の以下の例示的で非限定的な詳細な説明を通して、よりよく理解されよう。
【図面の簡単な説明】
【００４６】
【図１ａ】一実施形態によるフライス工具の斜視図である。
【図１ｂ】一実施形態によるフライス工具の底面図である。
【図１ｃ】一実施形態によるフライス工具の側面図である。
【図２ａ】一実施形態によるフライス工具の斜視図である。
【図２ｂ】別の実施形態によるフライス工具の底面図である。
【図２ｃ】別の実施形態によるフライス工具の側面図である。
【図３−３ｈ】一実施形態によるフライス工具の切削部材の様々な図である。
【図４ａ】工具本体に配置された複数の切削部材を示す、フライス工具の詳細な斜視図である。
【図４ｂ】切削工具の周囲に沿った、切削部材の副切削刃の推移を示す概略図である。
【発明を実施するための形態】
【００４７】
すべての図面は概略的であり、必ずしも原寸に比例しておらず、全般的に、本発明を明からにするために必要な部分のみを示し、他の部分は、省略されてもよく、単に示唆されるだけでもよい。
【００４８】
例示的な一実施形態によるフライス工具が、図１ａ〜図１ｃにおいて３つの異なる図で示される。工具１は、軸方向の広がりＡに沿って延在する包囲表面１１と、径方向の広がりＲに沿って延在する前表面１２とを有する工具本体１０を備える。図１ａ〜図１ｃの示される例示的な実施形態は、正面フライス加工用に適合され、工具本体の周囲に沿って配置された１０個の切削部材１００を備え、その設計は、以下でより詳細に説明する。切削部材は、工具本体に固定取付けされ、示される事例では、ろう付けによって取り付けられる。
【００４９】
図１ｂで見ることができるように、切削部材は、径方向すくい角γで配置され、すなわち、たとえば第３の副切削刃が、たとえば第３の副切削刃の第１の端点からフライス工具の中心まで定義された径方向に対して、径方向すくい角γ１で延在するように配置される。全般的に、こうした径方向すくい角γ１は、−１０°〜＋１０°の範囲に属してもよい。しかし、開示する実施形態では、主切削刃で容易な／軽い切削作用を可能にするために、径方向すくい角は正である。軸方向に関しては、主切削刃が軸方向に平行な平面にあるが、軸方向に対して軸方向すくい角γ２で延在するように、切削部材が配置され、全般的に、こうした軸方向すくい角γ２は、−１０°〜＋１０°の範囲に属してもよい（図１ｃに示す）。開示する実施形態は、主切削刃に正の傾斜をもたらすために、軸方向すくい角の正の角度も開示しており、これは、主切削刃の容易な／軽い切削作用にさらに寄与する。正の軸方向すくい角は、副切削刃の容易な／軽い切削作用ももたらす。
【００５０】
第２の例示的な実施形態による第２のフライス工具が、図２ａ〜図２ｃにおいて、３つの異なる図で示される。工具１’は、軸方向の広がりＡに沿って延在する包囲表面１１’と、径方向の広がりＲに沿って延在する前表面１２’とを有する工具本体１０’を備える。図２ａ〜図２ｃの示される例示的な実施形態は、ショルダフライス加工用に適合され、工具本体１０の周囲に沿って配置された８個の切削部材１００’を備える。切削部材は、工具本体に固定取付けされ、示される事例では、ろう付けによって取り付けられる。図１ａ〜図１ｃに示す実施形態と同様に、切削部材は径方向すくい角γ１で配置され、全般的にこうした角度は−１０°〜＋１０°の範囲に属してもよい（図２ｂに示す）。また同様に、主切削刃が軸方向に平行な平面にあるが、軸方向に対して軸方向すくい角γ２で延在するように、切削部材が配置され、全般的に、こうした軸方向すくい角γ２は、−１０°〜＋１０°の範囲に属してもよい（図２ｃに示す）。さらに、前の実施形態で述べたように、径方向と軸方向の両方のすくい角は、主切削刃および副切削刃の容易で／軽い切削作用をもたらすように、この実施形態では正である。
【００５１】
図１ａ〜図１ｃおよび図２ａ〜図２ｃの示される例示的な実施形態では、切削工具の周囲に沿って配置されたすべての切削部材は、第１、第２、および第３の副切削刃を備える。
【００５２】
図３〜図３ｈを見ながら、工具本体の例示的な切削部材の設計を詳細に説明する。
【００５３】
図３は、例示的な一実施形態による切削部材１００の斜視図であり、切削部材は、すくい面１１０と、逃げ表面１２０と、荒削り動作用の主切削刃１３０とを備える。主切削刃１３０は、すくい面１１０と逃げ表面１２０との間に形成され、工具本体１０に配置されたときに、主切削刃の切込み角が９０°になるように、軸Ａに平行な方向に延在するように適合され、軸Ａは、図示する事例ではフライス工具の回転軸に一致する。
【００５４】
仕上げ動作用の３つの副切削刃が、すくい面１１０と逃げ表面１２０の間に形成され、これらは第１の副切削刃１４０、第２の副切削刃１５０、および第３の副切削刃１６０である。第１および第３の副切削刃１４０、１６０は、工具本体に配置されたときに、回転軸に垂直な方向、すなわち径方向に延在するように適合され、第２の副切削刃１５０は、第１と第３の副切削刃の間、すなわち、それぞれ第１と第３の副切削刃のそれぞれの端点１４１、１６２の間に延在する。
【００５５】
主切削刃１３０は、角切削刃１７０、すなわち示される事例では角面取り刃１７０を介して、第１の副切削刃１４０につながる。
【００５６】
切削部材１００の総切削深さは、切削部材の総高さ、すなわち主切削刃１３０、角面取り刃１７０、および副切削刃１４０、１５０、１６０によって定義される。したがって、角面取り切削刃１７０の軸方向位置を変えることによって、それぞれ荒削り動作中および（副切削刃１４０、１５０、１６０によって提供される）仕上げ動作中に機械加工される材料の相対量を決定することができる。
【００５７】
図３ａは、図３に比べて反対方向から見た、すなわち工具本体に配置されたときに工具本体の座部に面するように適合された、すくい面とは反対側の底部側１１１を示す切削部材の斜視図である。図３ｂは、切削部材の側面図であり、主切削刃の逃し角αを示し、全般的にこの逃し角αは、０〜２０°の範囲に属する。図３ｃは、第３の副切削刃の逃し角βを示し、全般的にこの逃し角βは、０〜２０°の範囲に属する。図３ｅは、図３ｃの反対側の側面図であり（この場合も第３の副切削刃の逃し角βを示す）、図３ｇは、切削部材の側面図であり、これも主切削刃の逃し角αを示す。図３ｈは、下側の超硬合金材料の上に上側のＰＣＤ材料を備える切削部材の断面図を示しており、これにより切削部材が、アルミニウムの正面フライス加工に特に適したものになる。
【００５８】
図４ａおよび図４ｂは、工具本体の前表面の周囲に沿った切削部材１００の副切削刃の推移、すなわち例示的な実施形態については、後に続く切削部材間の推移を示しており、図４ａは、工具本体１０に配置された第１の切削部材１００を示し、図４ｂは、工具本体の周囲に沿ったすべての副切削刃を重ね合わせた図（すなわち推移）を示す。
【００５９】
前で説明したように、切削部材１００の主切削刃１３０は、図４ａに示すように工具本体に配置されたときに、軸方向Ａに平行な平面に延在しており、角面取り切削刃１７０を介して第１の副切削刃１４０につながっている。第１の副切削刃１４０は、図４ａに示すように工具本体に配置されたときに、軸方向に垂直な方向（すなわち回転軸に垂直な平面内）に延在するように適合される。主切削刃１３０と角面取り刃のそれぞれの広がりは、切削工具の周囲に沿った切削部材にわたって同じ、すなわち一定のままである。
【００６０】
角面取り切削刃１７０は、第１の副切削刃１４０の第１の端点１４１に接合する。第１の副切削刃のこの第１の端点１４１の位置、ならびに第１の副切削刃がそれに沿って延在する平面の軸方向位置も、周囲の沿った切削部材にわたって一定のままである。したがって、第１の副切削刃の広がりは、常に軸方向に垂直であり、第１の副刃は、回転軸に垂直な同じ平面内にあるままである。
【００６１】
しかし、第２および第３の副切削刃１５０、１６０は、径方向および／または軸方向の広がりという点で変化し、すなわち、工具本体の周囲に沿って推移する。
【００６２】
端点１５１、１５２間に延在する第２の副切削刃１５０は、第１の端点１５１が径方向内向きに連続的に推移し、第２の副切削刃の第２の端点が、径方向内向きかつ軸方向外向きに連続的に推移するように、工具の周囲に沿って切削インサート間で変形している。その結果、図４ｂに示すように、後に続く切削インサートの第２の副切削刃は、工具本体の前記前表面の周囲に沿って前にある切削部材の第２の副切削刃よりも、長さが長くなり、前記工具本体の中心回転軸の近くにくる。
【００６３】
端点１６１と１６２の間で軸方向に垂直な平面に延在する第３の副切削刃１６０は、工具本体の周囲に沿って、以下のように変化、すなわち推移する。第２の副切削刃の第２の端点１５２と一致している第１の端点１６１は推移し、すなわち周囲に沿った切削部材ごとに径方向内向きかつ軸方向外向きに推移し、一方、外側端点１６２は、後に続く切削部材ごとに軸方向外向きにのみ動く。その結果、後に続く切削インサートの第３の副切削刃は、工具本体の前表面の周囲に沿って前にある切削部材の第３の副切削刃よりも、長さが短くなり、軸方向に垂直な平面に延在する、すなわち工具本体の中心回転軸に沿って前表面から遠くなる軸方向位置にくる、延在している。しかし、各切削部材の第３の副切削刃は、常に回転軸に垂直なそれぞれの平面に延在している。
【００６４】
本発明は、図面および上の説明において詳細に図示および説明されたが、こうした図および説明は、例証または例示とみなされるべきであり、限定するものとみなされるべきではなく、本発明は、開示した実施形態に限定されない。当業者であれば、添付の特許請求の範囲で定義される範囲内で、多くの修正形態、変形形態、および代替形態が考えられることを理解している。
【００６５】
さらに、開示した実施形態に対する変形形態は、図面、本開示、および添付の特許請求の範囲を研究することによって、特許請求した本発明を実践する際に当業者によって理解され、実行されることが可能である。特許請求の範囲では、「備える」という単語は、他の要素またはステップを排除せず、不定冠詞「ａ」または「ａｎ」は、複数を排除しない。相互に異なる従属請求項において特定の測定値が述べられていることは、これらの測定値の組合せを有利に使用できないということを示すのではない。特許請求の範囲における任意の参照符号は、特許請求の範囲に記載の範囲を限定するものとみなされるべきではない。
【図１ａ】
2019532829.tif 000003
【図１ｂ】
2019532829.tif 000004
【図１ｃ】
2019532829.tif 000005
【図２ａ】
2019532829.tif 000006
【図２ｂ】
2019532829.tif 000007
【図２ｃ】
2019532829.tif 000008
【図３】
2019532829.tif 000009
【図３ａ】
2019532829.tif 000010
【図３ｂ】
2019532829.tif 000011
【図３ｃ】
2019532829.tif 000012
【図３ｄ】
2019532829.tif 000013
【図３ｅ】
2019532829.tif 000014
【図３ｆ】
2019532829.tif 000015
【図３ｇ】
2019532829.tif 000016
【図３ｈ】
2019532829.tif 000017
【図４ａ】
2019532829.tif 000018
【図４ｂ】
2019532829.tif 000019
【国際調査報告】
2019532829.tif 000020
2019532829.tif 000021
2019532829.tif 000022